(57)【要約】【課題】本発明は、ボルト挿通穴をエルボ管と容易に平行状となるように支持することができるフランジ仮溶接用取付治具を提供することを目的とするものである。【解決手段】フランジ仮溶接用取付治具１は、少なくも１辺が直線状とされた本体３と、直線上の１辺に沿って延びる本体３の軸線上に配置されるか若しくは、直線状の１辺に沿って延びる本体３の軸線上の配置箇所と同配置箇所を一の頂点とする多角形の本体３上の他の頂点とに配置され、フランジのボルト穴に挿入可能に構成された少なくとも２個のピン４，４Ａとを備える。【選択図】図１
2014091160.tif 000002
【特許請求の範囲】
【請求項１】
少なくとも１辺が直線状とされた本体と、
前記直線状の１辺に沿って延びる前記本体の軸線上に配置されるか若しくは、前記直線状の１辺に沿って延びる前記本体の軸線上の配置箇所と同配置箇所を一の頂点とする多角形の前記本体上の他の頂点とに配置され、フランジのボルト穴に挿入可能に構成された少なくとも２個のピンとを備える
フランジ仮溶接用取付治具。
【請求項２】
前記本体の軸線上に配置されるピンの少なくとも１個は、前記本体の軸線上に沿って移動可能な構成とされた
請求項１に記載のフランジ仮溶接用取付治具。
【請求項３】
前記本体の軸線上の配置箇所を一の頂点とする多角形の同本体上の他の頂点に配置されるピンの少なくとも１個は、前記一の頂点と他の頂点間を移動可能に構成された
請求項１または請求項２に記載のフランジ仮溶接用取付治具。
【請求項４】
前記ピンの少なくとも１個が、同ピンの先端に向けて傾斜状に形成された
請求項１、請求項２または請求項３に記載のフランジ仮溶接用取付治具。
【請求項５】
前記本体の両辺が直線状とされた
請求項１、請求項２、請求項３または請求項４に記載のフランジ仮溶接用取付治具。
【請求項６】
少なくとも１辺が直線状とされた本体と、
該本体に、フランジのボルト穴のうち少なくとも２個のボルト穴に挿入可能とされると共に、隣接するボルト穴の中心点を結ぶ線と平行状に前記１辺が位置するように配置されたピンとを備える
フランジ仮溶接用取付治具。
【発明の詳細な説明】
【技術分野】
【０００１】
本発明は、フランジ仮溶接用取付治具に関する。詳しくは、例えばエルボ管の開口端にフランジを仮溶接するために取り付けられるフランジ仮溶接用取付治具に係るものである。
【背景技術】
【０００２】
従来、この種の溶接フランジの取付治具として、例えば特許文献１に記載されたものが知られている。
具体的には、図８に示すように、パイプをボールキャスター１０１で水平移動可能としたパイプ受け台１０２と、パイプ受け台１０２に設けられた溶接フランジを支持する垂直及び角度調整可能なあて板１０３及びその固定手段１０４とから構成されている。
【０００３】
しかし、上述した特許文献１に記載された溶接フランジの取付治具では、直線状のパイプにフランジを垂直状に取り付ける場合では問題がないが、略直角状に屈曲形成されるエルボ管には対応し難いのが現状である。
【０００４】
また、エルボ管の開口端にフランジを取り付ける場合では、フランジの隣り合うボルト穴の中心点を結ぶ線とエルボ管の外縁延長線とが平行となるようにボルト穴の位置合わせをしなければならない。
なぜなら、フランジの隣り合うボルト穴の中心点を結ぶ線とエルボ管に溶接されたパイプの外縁延長線とが平行ではない状態でフランジのボルト穴の位置合せをしたときには、エルボ管同士の外縁が互いに平行状、あるいは直線状とならない状態で連結されることになり、設計通りの配管が行えなくなるからである。
【０００５】
このようなことから、エルボ管にフランジを溶接によって仮付けする場合には、エルボ管を固定した状態で１人がフランジを開口端に垂直状、かつボルト挿通穴がエルボ管と平行状となるように支持しながら他の者が仮溶接を行っているのが現状である。
【先行技術文献】
【特許文献】
【０００６】
【特許文献１】特開２０１０−２６００９２号公報
【発明の概要】
【発明が解決しようとする課題】
【０００７】
しかしながら、１人がフランジを開口端に垂直状、かつボルト挿通穴がエルボ管と平行状となるように目利きで支持するには非常に熟練を要すると共に、誤差が生じやすかった。
【０００８】
また、フランジを手で持って支持するために溶接の際の安全性に注意を払わなければならない。
【０００９】
本発明は、以上の点に鑑みて創案されたものであって、フランジのボルト穴の位置決めを容易、かつ正確に行うことができるフランジ仮溶接用取付治具を提供することを目的とするものである。
【課題を解決するための手段】
【００１０】
上記の目的を達成するために、本発明に係るフランジ仮溶接用取付治具は、少なくとも１辺が直線状とされた本体と、前記直線状の１辺に沿って延びる前記本体の軸線上に配置されるか若しくは、前記直線状の１辺に沿って延びる前記本体の軸線上の配置箇所と同配置箇所を一の頂点とする多角形の前記本体上の他の頂点とに配置され、フランジのボルト穴に挿入可能に構成された少なくとも２個のピンとを備える。
【００１１】
ここで、少なくとも１辺が直線状とされた本体によって、パイプの外縁と本体の１辺を平行となるように保持することでパイプの開口端に仮溶接するフランジのボルト穴の位置決めを行うことが可能となる。
【００１２】
また、本体の１辺に沿って延びる軸線上に配置されたフランジのボルト穴に挿入可能に構成された少なくとも２個のピンによって、フランジの隣り合うボルト穴の中心点を結ぶ線と平行状に１辺が位置するように本体をフランジに固定することが可能となる。
【００１３】
また、直線状の１辺に沿って延びる本体の軸線上の配置箇所と同配置箇所を一の頂点とする多角形の本体上の他の頂点とに配置された少なくとも２個のピンによって、本体の軸線上にはピンを１個配置さえすれば、フランジの隣り合うボルト穴の中心点を結ぶ線と平行状に１辺が位置するように本体をフランジに固定することが可能となる。
すなわち、本体の軸線上のピンの配置箇所を一の頂点とする多角形は、フランジの各ボルト穴の中心点を結んで形成される多角形に対応するものであり、多角形の本体上の他の頂点も各ボルト穴の中心点に対応しているので、本体の軸線上の配置箇所にピンを1つ配置しておけば、この配置箇所を一の頂点とする多角形の本体上の他の頂点のどこに他のピンを配置しても、フランジの隣り合うボルト穴の中心点を結ぶ線と平行状に１辺が位置するように本体をフランジに固定することが可能となる。
【００１４】
また、本発明に係るフランジ仮溶接用取付治具において、本体の軸線上に配置されるピンの少なくとも１個が、本体の軸線上に沿って移動可能な構成とされた場合には、フランジの隣り合うボルト穴間の距離に応じてピンの位置を調整することが可能となる。
【００１５】
また、本発明に係るフランジ仮溶接用取付治具において、本体の軸線上の配置箇所を一の頂点とする多角形の本体上の他の頂点に配置されるピンの少なくとも１個が、一の頂点と他の頂点間を移動可能に構成された場合には、本体の軸線上の配置箇所を一の頂点とする多角形の本体上の他の頂点に位置するフランジのボルト穴間の距離に応じてピンの位置を調整することが可能となる。
【００１６】
また、本発明に係るフランジ仮溶接用取付治具において、ピンの少なくとも１個が、ピンの先端に向けて傾斜状に形成された場合には、フランジのボルト穴に隙間なく係留することができると共に、ボルト穴の内径の大小に対応することができる。
【００１７】
また、本発明に係るフランジ仮溶接用取付治具において、本体の両辺が直線状とされた場合には、パイプの右側、あるいは左側の外縁に本体の１辺を平行となるように保持することでパイプの開口端に仮溶接するフランジのボルト穴の位置決めを行うことが可能となる。
【００１８】
また、上記の目的を達成するために、本発明に係るフランジ仮溶接用取付治具は、少なくとも１辺が直線状とされた本体と、該本体に、フランジのボルト穴のうち少なくとも２個のボルト穴に挿入可能とされると共に、隣接するボルト穴の中心点を結ぶ線と平行状に前記１辺が位置するように配置されたピンとを備える。
【００１９】
ここで、少なくとも１辺が直線状とされた本体によって、パイプの外縁と本体の１辺を平行となるように保持することでパイプの開口端に仮溶接するフランジのボルト穴の位置決めを行うことが可能となる。
【００２０】
また、本体に、フランジのボルト穴のうち少なくとも２個のボルト穴に挿入可能とされると共に、隣接するボルト穴の中心点を結ぶ線と平行状に１辺が位置するように配置されたピンによって、本体の１辺とフランジの隣接するボルト穴の中心点を結ぶ線とが平行状となるようにフランジに固定することが可能となる。
【発明の効果】
【００２１】
本発明のフランジ仮溶接用取付治具によれば、フランジのボルト穴の位置決めを容易、かつ正確に行うことできる。
【図面の簡単な説明】
【００２２】
【図１】本発明を適用したフランジ仮溶接用取付治具の一例を説明するための平面模式図である。
【図２】本発明を適用したフランジ仮溶接用取付治具の一例を説明するための要部断面模式図である。
【図３】本発明を適用したフランジ仮溶接用取付治具の一例をフランジに取り付けた状態を説明するための平面模式図である。
【図４】本発明を適用したフランジ仮溶接用取付治具の一例をフランジに取り付けた状態を説明するための側面模式図である。
【図５】本発明を適用したフランジ仮溶接用取付治具の他の例を説明するための平面模式図である。
【図６】本発明を適用したフランジ仮溶接用取付治具の他の例をフランジに取り付け状態を説明するための平面模式図である。
【図７Ａ】本発明を適用したフランジ仮溶接用取付治具の他の例においてピンを３個設けた場合のフランジに取り付けた状態を説明するための平面模式図である。
【図７Ｂ】本発明を適用したフランジ仮溶接用取付治具の他の例における補助体が斜め状に形成された場合のフランジに取り付けた状態を説明するための平面模式図である。
【図７Ｃ】本発明を適用したフランジ仮溶接用取付治具の他の例におけるピンを４個設けた場合のフランジに取り付けた状態を説明するための平面模式図である。
【図８】従来のフランジの取付け治具の一例を説明するための模式図である。
【発明を実施するための形態】
【００２３】
以下、本発明の実施の形態を図面を参酌しながら詳述する。
【００２４】
＜第１の実施の形態＞
図１は本発明を適用したフランジ仮溶接用取付治具の一例を説明するための平面模式図、図２は本発明を適用したフランジ仮溶接用取付治具の一例を説明するための要部断面模式図である。
【００２５】
ここで示すフランジ仮溶接用取付治具１は、２辺が直線部２，２Ａとされた長尺板状の本体３と、この本体３の直線部２，２Ａに沿って配置されたフランジの２個のボルト穴（図示せず。）に挿通可能とされるピン４，４Ａとから構成されている。なお、本体３はアルミニウム製である。
【００２６】
ここで、本体３は、長さが約５０ｃｍ、及び幅が約３ｃｍとされ、その本体３の直線部２，２Ａに沿ってピン係着用穴５と、ピン係着用長穴６が開設された構成とされている。
【００２７】
また、ピン４は、その先端に向けて順次外径が小さくなるように円錐台形状に形成された挿入部７の上端面８の中央に、ピン係着用穴５の内径と略同径とされた突起部９が一体的に突設形成されている。更に、突起部９の上方には雄ねじ部１０が周設され、この雄ネジ部１０に螺着可能とされた雌ネジ部１１が下端に形成された締結部１２が取り付けられた構成とされている。
【００２８】
ここで、ピン４は、ピン係着用穴５に嵌入部９が嵌め入れられ、更に、雄ネジ部１０に座金１３及びバネワッシャー１４が挿通された状態で、雄ネジ部１０に締結部１２の雌ネジ部１１が螺着された構成とされている。
【００２９】
このような構成とされるピン４は、ピン係着用穴５を挟んだ状態で取り付けられると共に、挿入部７が本体３の面に対して垂直状に突設されている。
【００３０】
また、ピン４Ａは、その先端に向けて順次外径が小さくなるように円錐台形状に形成された挿入部７の上端面８の中央に、ピン係着用長穴６の短手方向の内径と略同径とされた突起部９が一体的に突設形成されている。更に、突起部９の上方には雄ねじ部１０が周設され、この雄ネジ部１０に螺着可能とされた雌ネジ部１１が下端に形成された締結部１２が取り付けられた構成とされている。
【００３１】
ここで、ピン４Ａは、ピン係着用長穴６に嵌入部９が嵌め入れられ、更に、雄ネジ部１０に座金１３及びバネワッシャー１４が挿通された状態で、雄ネジ部１０に締結部１２の雌ネジ部１１が螺着された構成とされている。
【００３２】
このような構成とされるピン４Ａは、ピン係着用長穴６を挟んだ状態で取り付けられると共に、挿入部７が本体３の面に対して垂直状に突設されている。
【００３３】
次に、図３は本発明を適用したフランジ仮溶接用取付治具の一例をフランジに取り付けた状態を説明するための平面模式図、図４は本発明を適用したフランジ仮溶接用取付治具の一例をフランジに取り付けた状態を説明するための側面模式図である。
【００３４】
ここで、フランジ２１は、その中心にパイプ１７の開口端１８の外径と略同径とされたパイプ接合穴１６が開口され、このパイプ接合穴１６と外周縁１９との間に４個のボルト穴２０，２０Ａ，２０Ｂ，２０Ｃが一定間隔ごとに穿孔されている。
【００３５】
このような構成のフランジ２１のボルト穴２０にピン４の挿入部７が挿入されている。また、ボルト穴２０Ａにピン４Ａの挿入部７が挿入されている。
【００３６】
ここで、図３に示すように、フランジ２１をパイプ１７の開口端１８に仮溶接する場合には、パイプ１７の開口端１８にフランジ２１のパイプ接合穴１６を嵌め入れる。
この状態から本体３の直線部２がパイプ１７の外縁に沿って平行状となるようにフランジ２１を左右方向へ回動する。
【００３７】
更に、図４に示すように、本体３面とパイプ１７とが平行状となるようにフランジ２１を水平方向へ傾けながら調整を行う。
【００３８】
これによりフランジ２１のボルト穴２０，２０Ａがパイプ１７と平行状となると共に、フランジ２１がパイプ１７の開口端１８に対して水平状に維持される。
【００３９】
この時点で、フランジ２１のパイプ接合穴１６とパイプ１７の開口端１８との仮溶接を行う。
【００４０】
なお、本実施の形態では、ピン４Ａは移動可能な構成とするものであるが、ピンが、直線状の１辺に沿って延びる本体の軸線上に配置されていれば、必ずしもピンを移動可能な構成とする必要性はない。
【００４１】
しかし、ピンを移動可能な構成とする場合には、ボルト穴同士の距離に応じて移動調整することができるために、少なくとも１個のピンを移動可能な構成とすることが望ましい。
【００４２】
また、本実施の形態では、ピンの先端に向けて傾斜状に形成するものであるが、ピンが、直線状の１辺に沿って延びる本体の軸線上に配置されていれば、必ずしもピンの先端に向けて傾斜状に形成される必要性はない。
【００４３】
しかし、ピンの先端に向けて傾斜状に形成された場合では、フランジのボルト穴の内径の大きさが一定範囲のものであれば、ピンとの間に隙間が生じない状態でフランジのボルト穴にピンを挿入できるために、ピンの先端に向けて傾斜状とすることが望ましい。
【００４４】
また、本実施の形態では、本体の両辺が直線状とされるものであるが、必ずしも本体の両辺を直線状とする必要性はない。
【００４５】
しかし、本体の両辺を直線状とする場合には、フランジの右側、あるいは左側にフランジ仮溶接用取付治具を取り付けることができるために、本体の両側辺を直線状とすることが望ましい。
【００４６】
また、本実施の形態では、ピンが本体の直線部に沿って延びる本体の軸線上に配置されるものであるが、ピンが直線状の１辺に沿って延びる本体の軸線上の配置箇所と同配置箇所を一の頂点とする多角形の本体上の他の頂点とに配置されていれば、必ずしも本体の軸線上に配置される必要性はない。
【００４７】
また、本実施の形態では、２本のピンが本体の直線部に沿って延びる本体の軸線上に配置されるものであるが、フランジの隣り合うボルト穴の中心点を結ぶ線と平行状に直線部が位置するように本体をフランジに固定することができれば、必ずしも２本のピンとする必要性はない。例えば、ピンが３本であっても構わない。
【００４８】
また、本実施の形態では、ピンを挿入部と締結部との構成とするものであるが、フランジのボルト穴に挿入可能とされ、かつ本体の軸線上に少なくとも１個が移動可能な構成であれば、いかなる構成であっても構わない。
【００４９】
また、本実施の形態では、本体をアルミニウム製とするものであるが、溶接時の熱による影響を受けないものであれば、いかなる材質であっても構わない。
しかし、例えば、耐熱性を有すると共に、軽量かつ耐久性を有するアルミニウム製とすることが望ましい。
【００５０】
以上の構成よりなる本発明のフランジ仮溶接用取付治具１では、エルボ状のパイプの開口端１８にフランジ２１を取り付ける場合に、フランジ仮溶接用取付治具１の直線部２、あるいは２Ａをパイプ１７に平行状とすることで仮溶接におけるフランジ２１のボルト穴２０，２０Ａの位置を決めることができる。
【００５１】
また、フランジ仮溶接用取付治具１の本体３面とパイプ１７とを平行状とすることで仮溶接におけるフランジ２１をパイプ１７の開口端に対して直角状に支持することが可能となる。
【００５２】
また、少なくとも1個のピン４Ａを、隣り合うフランジ２１のボルト穴２０，２０Ａの距離に応じて移動可能とすることでフランジ２１のボルト穴２０，２０Ａ間の距離の違いに対応することができる。
【００５３】
また、ピン４，４Ａの先端に向けて傾斜状とすることでフランジ２１のボルト穴に隙間なく係留することができると共に、ボルト穴の内径の大小に対応することができる。
【００５４】
このように本発明のフランジ仮溶接用取付治具１では、パイプの開口端に取り付けるフランジのボルト穴の位置決めを容易、かつ正確に行うことできる。
【００５５】
＜第２の実施の形態＞
図５は本発明を適用したフランジ仮溶接用取付治具の他の例を説明するための平面模式図である。
【００５６】
ここで示すフランジ仮溶接用取付治具１Ａは、２辺が直線部２，２Ａとされた長尺板状の本体３Ａと、この本体３Ａと直角をなす補助体１５と、本体３Ａに配置されたピン４と、補助体１５に配置されたピン４Ａとから構成されている。なお、上記した第１の実施の形態と同様に、ピン４はピン係着用穴５に取り付けられ、ピン４Ａはピン係着用長穴６に取り付けられている。また、本体３Ａ及び補助体１５はアルミニウム製である。
【００５７】
ここで、補助体１５は、例えば４個のボルト穴（図示せず。）が設けられたフランジ（図示せず。）の隣接するボルト穴間の距離以上の長さとされている。
【００５８】
また、ピン４は、前記図２で詳述したように、その先端に向けて順次外径が小さくなるように円錐台形状に形成された挿入部７の上端面８の中央に、ピン係着用穴５の内径と略同径とされた突起部９が一体的に突設形成されている。更に、突起部９の上方には雄ねじ部１０が周設され、この雄ネジ部１０に螺着可能とされた雌ネジ部１１が下端に形成された締結部１２が取り付けられた構成とされている。
【００５９】
ここで、ピン４は、ピン係着用穴５に嵌入部９が嵌め入れられ、更に、雄ネジ部１０に座金１３及びバネワッシャー１４が挿通された状態で、雄ネジ部１０に締結部１２の雌ネジ部１１が螺着された構成とされている。
【００６０】
このような構成とされるピン４は、ピン係着用穴５を挟んだ状態で取り付けられると共に、挿入部７が本体３Ａの面に対して垂直状に突設されている。
【００６１】
また、ピン４Ａは、その先端に向けて順次外径が小さくなるように円錐台形状に形成された挿入部７の上端面８の中央に、ピン係着用長穴６の短手方向の内径と略同径とされた突起部９が一体的に突設形成されている。更に、突起部９の上方には雄ねじ部１０が周設され、この雄ネジ部１０に螺着可能とされた雌ネジ部１１が下端に形成された締結部１２が取り付けられた構成とされている。
【００６２】
ここで、ピン４Ａは、ピン係着用長穴６に嵌入部９が嵌め入れられ、更に、雄ネジ部１０に座金１３及びバネワッシャー１４が挿通された状態で、雄ネジ部１０に締結部１２の雌ネジ部１１が螺着された構成とされている。
【００６３】
このような構成とされるピン４Ａは、ピン係着用長穴６を挟んだ状態で取り付けられると共に、挿入部７が本体３Ａの面に対して垂直状に突設されている。
【００６４】
次に、図６は本発明を適用したフランジ仮溶接用取付治具の他の例をフランジに取り付けた状態を説明するための平面模式図である。
【００６５】
ここで、フランジ２１は、その中心にパイプ１７の開口端１８の外径と略同径とされたパイプ接合穴１６が開口され、このパイプ接合穴１６と外周縁１９との間に４個のボルト穴２０，２０Ａ，２０Ｂ，２０Ｃが一定間隔ごとに穿孔されている。
【００６６】
このような構成のフランジ２１のボルト穴２０にピン４の挿入部７が挿入されている。また、ボルト穴２０Ｂにピン４Ａの挿入部７が挿入されている。
【００６７】
ここで、図６に示すように、フランジ２１をパイプ１７の開口端１８に仮溶接する場合には、パイプ１７の開口端１８にフランジ２１のパイプ接合穴１６を嵌め入れる。
この状態から本体３Ａの直線部２がパイプ１７の外縁に沿って平行状となるようにフランジ２１を左右方向へ回動する。
【００６８】
更に、前記図４に示すように、本体３Ａの面とパイプ１７の外縁とが平行状となるようにフランジ２１を水平方向へ傾けながら調整を行う。
【００６９】
これによりフランジ２１のボルト穴２０，２０Ａがパイプ１７と平行状となると共に、フランジ２１がパイプ１７の開口端１８に対して水平状に維持される。
【００７０】
この時点で、フランジ２１のパイプ接合穴１６とパイプ１７の開口端１８との仮溶接を行う。
【００７１】
なお、本実施の形態では、ピン４Ａは移動可能な構成とするものであるが、ピンが、直線状の１辺に沿って延びる本体の軸線上の配置箇所と、本体の軸線上の配置箇所を一の頂点とする多角形の同本体上の他の頂点に配置されていれば、必ずしもピンを移動可能な構成とする必要性はない。
【００７２】
しかし、ピンを移動可能な構成とする場合には、ボルト穴同士の距離に応じて移動調整することができるために、少なくとも１個のピンを移動可能な構成とすることが望ましい。
【００７３】
また、本実施の形態では、ピンの先端に向けて傾斜状に形成するものであるが、ピンが、直線状の１辺に沿って延びる本体の軸線上の配置箇所と、本体の軸線上の配置箇所を一の頂点とする多角形の同本体上の他の頂点に配置されていれば、必ずしもピンの先端に向けて傾斜状に形成される必要性はない。
【００７４】
しかし、ピンの先端に向けて傾斜状に形成された場合では、フランジのボルト穴の内径の大きさが一定範囲内のものであれば、ピンとの間に隙間が生じない状態でフランジのボルト穴にピンを挿入できるために、ピンの先端に向けて傾斜状とすることが望ましい。
【００７５】
また、本実施の形態では、本体の両辺が直線状とされるものであるが、必ずしも本体の両辺を直線状とする必要性はない。
【００７６】
しかし、本体の両辺を直線状とする場合には、フランジの右側、あるいは左側にフランジ仮溶接用取付治具を取り付けることができるために、本体の両側辺を直線状とすることが望ましい。
【００７７】
また、本実施の形態では、２本のピンが、直線状の１辺に沿って延びる本体の軸線上の配置箇所と、本体の軸線上の配置箇所を一の頂点とする多角形の同本体上の他の頂点に配置されるものであるが、フランジの隣り合うボルト穴の中心点を結ぶ線と平行状に直線部が位置するように本体をフランジに固定することができれば、必ずしも２本のピンとする必要性はない。例えば、ピンが３本、あるいは４本であっても構わない。
【００７８】
また、本実施の形態では、ピンを前記＜第１の実施の形態＞と同様な構成とするものであるが、ピンはフランジのボルト穴に挿入可能とされていれば、いかなる構成であっても構わない。
【００７９】
また、本実施の形態では、本体及び補助体をアルミニウム製とするものであるが、溶接時の熱による影響を受けないものであれば、いかなる材質であっても構わない。
しかし、例えば、耐熱性を有すると共に、軽量かつ耐久性を有するアルミニウム製とすることが望ましい。
【００８０】
以上の構成よりなる本発明のフランジ仮溶接用取付治具１Ａでは、エルボ状のパイプ１７の開口端１８にフランジ２１を取り付ける場合に、フランジ仮溶接用取付治具１Ａの直線部２、あるいは２Ａをパイプ１７に平行状とすることで仮溶接におけるフランジ２１のボルト穴２０，２０Ｂの位置を決めることができる。
【００８１】
また、フランジ仮溶接用取付治具１Ａの本体３Ａ面とパイプ１７とを平行状とすることで仮溶接におけるフランジ２１をパイプ１７の開口端１８に対して直角状に支持することが可能となる。
【００８２】
また、少なくとも1個のピン４Ａを、隣り合うフランジ２１のボルト穴２０，２０Ｂの距離に応じて移動可能とすることでフランジ２１のボルト穴２０，２０Ｂ間の距離の違いに対応することができる。
【００８３】
また、ピン４，４Ａの先端に向けて傾斜状とすることでフランジ２１のボルト穴に隙間なく係留することができると共に、ボルト穴の内径の大小に対応することができる。
【００８４】
このように本発明のフランジ仮溶接用取付治具１Ａでは、パイプの開口端に取り付けるフランジのボルト穴の位置決めを容易、かつ正確に行うことできる。
【００８５】
＜変形例＞
図７Ａは本発明を適用したフランジ仮溶接用取付治具の他の例においてピンを３個設けた場合のフランジに取り付けた状態を説明するための平面模式図である。更に、図７Ｂは本発明を適用したフランジ仮溶接用取付治具の他の例における補助体が斜め状に形成された場合のフランジに取り付けた状態を説明するための平面模式図である。また、更に、図７Ｃは本発明を適用したフランジ仮溶接用取付治具の他の例におけるピンを４個設けた場合のフランジに取り付けた状態を説明するための平面模式図である。
【００８６】
ここで、図７Ａに示すフランジ仮溶接用取付治具１Ｂは、２辺が直線部２，２Ａとされた長尺板状の本体３Ａと、この本体３Ａと直角をなす補助体１５と、本体３Ａに配置されたピン４，４Ａと、補助体１５に配置されたピン４Ｂとから構成されている。なお、本体３Ａ及び補助体１５はアルミニウム製である。
【００８７】
更に、ピン４はピン係着用穴５（図示せず。）に取り付けられ、ピン４Ａ，４Ｂはピン係着用長穴６に取り付けられている。
なお、フランジ２１のボルト穴２０を起点としてピン４Ａ，４Ｂとの距離調整を行い、フランジ２１のボルト穴２０，２０Ａ，２０Ｂに，ピン４，４Ａ，４Ｂが挿通されている。
【００８８】
また、図７Ｂに示すフランジ仮溶接用取付治具１Ｃは、２辺が直線部とされた長尺板状の本体３Ａと、この本体３Ａと約１３５°をなす補助体１５と、本体３Ａに配置されたピン４と、補助体１５に配置されたピン４Ａとから構成されている。なお、本体３Ａ及び補助体１５はアルミニウム製である。
【００８９】
更に、ピン４，４Ａはピン係着用長穴６に取り付けられている。
なお、フランジ２１のボルト穴２０Ａとボルト穴２０Ｂとの距離に応じてピン４，４Ａの調整を行い、フランジ２１のボルト穴２０Ａと２０Ｂに、ピン４，４Ａが挿通されている。
【００９０】
また、図７Ｃに示すフランジ仮溶接用取付治具１Ｄは、２辺が直線部とされた長尺板状の本体３Ａと、この本体３Ａと連設されたコ字形状の補助体１５と、本体３Ａに配置されたピン４，４Ａと、補助体１５に配置されたピン４Ｂ，４Ｃとから構成されている。なお、本体３Ａの一部と補助体１５とでロ字形状を構成している。また、本体３Ａ及び補助体１５はアルミニウム製である。
【００９１】
更に、ピン４，４Ａ，４Ｂ，４Ｃはピン係着用穴５（図示せず）に取り付けられている。
なお、フランジ２１のボルト穴２０，２０Ａ，２０Ｂ，２０Ｃに、ピン４，４Ａ，４Ｂ，４Ｃが挿通されている。
【００９２】
なお、本発明の＜第１の実施の形態＞、＜第２の実施の形態＞及び＜変形例＞におけるフランジのボルト穴は正方形の各頂点に位置する４個のボルト穴について詳述するものであるが、必ずしも４個のボルト穴である必要性はない。
【００９３】
例えば、五角形の各頂点に位置する５個のボルト穴、あるいは六角形の各頂点に位置する６個のボルト穴であっても構わない。
【符号の説明】
【００９４】
１，１Ａ，１Ｂ，１Ｃ，１Ｄ  フランジ仮溶接用取付治具
２，２Ａ          直線部
３，３Ａ          本体
４，４Ａ，４Ｂ，４Ｃ    ピン
５                ピン係着用穴
６                ピン係着用長穴
７                挿入部
８                上端面
９                突起部
１０              雄ネジ部
１１              雌ネジ部
１２              締結部
１３              座金
１４              バネワッシャー
１５                補助体
１６                パイプ接合穴
１７                パイプ
１８                開口端
１９                外周縁
２０，２０Ａ，２０Ｂ，２０Ｃ  ボルト穴
２１                フランジ
【図１】
2014091160.tif 000003
【図２】
2014091160.tif 000004
【図３】
2014091160.tif 000005
【図４】
2014091160.tif 000006
【図５】
2014091160.tif 000007
【図６】
2014091160.tif 000008
【図７Ａ】
2014091160.tif 000009
【図７Ｂ】
2014091160.tif 000010
【図７Ｃ】
2014091160.tif 000011
【図８】
2014091160.tif 000012